(57)【要約】  脳血流量定量装置（１０）は、放射性薬剤を投与された被験者の頭部核医学画像を取得する核医学画像取得部（１２）と、第１の時刻から第２の時刻の間に連続的に撮像された複数の頭部核医学画像において脳組織の同じ場所を示す単位領域から得られたカウント数を算出するカウント数算出部（１６）と、脳血流量および放射性薬剤の投与からの経過時間を変数として脳組織の放射性薬剤濃度を表した関数において、放射性薬剤濃度に対応する放射能カウント数を第１の時刻から第２の時刻まで積分した値がカウント数に等しくなるような脳血流量の値を、単位領域ごとに算出する脳血流量算出部（２４）と、各単位領域の脳血流量に基づいて脳血流を示すマップを生成する脳血流マップ生成部（３０）とを備える。これにより、放射性医薬品の投与後の比較的早期においても、精度良く脳血流量を定量することができる。
2009101759.tif 000002
【特許請求の範囲】
【請求項１】
放射性薬剤を投与された被験者の頭部核医学画像を取得する核医学画像取得部と、
第１の時刻から第２の時刻の間に連続的に撮像された前記頭部核医学画像のカウント数を、前記頭部核医学画像を構成する単位領域ごとに算出するカウント数算出部と、
脳血流量および放射性薬剤の投与からの経過時間を変数として含み脳組織の放射性薬剤濃度に対応したＳＰＥＣＴまたはＰＥＴカウント数を表した関数において、放射性薬剤濃度に対応するＳＰＥＣＴまたはＰＥＴカウント数を前記第１の時刻から前記第２の時刻まで積分した値が前記カウント数算出部にて算出されたカウント数に等しくなるような脳血流量の値を、前記単位領域ごとに算出する脳血流量算出部と、
前記各単位領域の脳血流量に基づいて脳血流を示すマップを生成する脳血流マップ生成部と、
を備える脳血流量定量装置。
【請求項２】
前記核医学画像取得部は、前記第１の時刻から前記第２の時刻の間に複数の頭部核医学画像を取得し、
前記カウント数算出部は、前記第１の時刻から前記第２の時刻の間に撮像された複数の前記頭部核医学画像において脳組織の同じ場所を示す前記単位領域から得られたカウント数を加算して前記単位領域ごとのカウント数を算出する請求項１に記載の脳血流量定量装置。
【請求項３】
前記核医学画像取得部にて取得された複数の頭部核医学画像から、脳血流量の定量に用いる時系列的に連続した頭部核医学画像を指定するために、連続した複数の頭部核医学画像の最初と最後の画像を選択する画像選択部を備え、
前記カウント数算出部は、最初の頭部核医学画像の撮像開始時刻を前記第１の時刻とし、最後の頭部核医学画像の撮像終了時刻を前記第２の時刻とし、前記カウント数を算出する請求項２に記載の脳血流量定量装置。
【請求項４】
時刻情報の入力を受け付ける時刻情報入力部を備え、
前記カウント数算出部は、入力された時刻情報に基づいて前記第１の時刻と前記第２の時刻を決定し、前記カウント数を算出する請求項１に記載の脳血流量定量装置。
【請求項５】
前記脳血流量算出部は、前記関数として式（１）を用い、前記各単位領域における脳血流量ｋ１を算出する請求項１〜４のいずれかに記載の脳血流量定量装置。
【数１】
2009101759.tif 000008
【請求項６】
前記脳血流量算出部は、算出された最小のカウント数から最大のカウント数までの全てのカウント数に対応する脳血流量を示すテーブルを作成するテーブル作成部を備え、
前記テーブルを参照して前記各単位領域のカウント数に対応する脳血流量を求める請求項１〜５のいずれかに記載の脳血流量定量装置。
【請求項７】
放射性薬剤を投与された被験者の頭部核医学画像に基づいて、コンピュータが脳血流量を定量するための方法であって、
コンピュータが、放射性薬剤を投与された被験者の頭部核医学画像を取得するステップと、
コンピュータが、第１の時刻から第２の時刻の間に連続的に撮像された前記頭部核医学画像のカウント数を、前記頭部核医学画像を構成する単位領域ごとに算出するステップと、
コンピュータが、脳血流量および放射性薬剤の投与からの経過時間を変数として含み脳組織の放射性薬剤濃度に対応したＳＰＥＣＴまたはＰＥＴカウント数を表した関数において、放射性薬剤濃度に対応するＳＰＥＣＴまたはＰＥＴカウント数を前記第１の時刻から前記第２の時刻まで積分した値が前記カウント数を算出するステップにて算出されたカウント数に等しくなるような脳血流量の値を、前記単位領域ごとに算出するステップと、
コンピュータが、前記各単位領域の脳血流量に基づいて脳血流を示すマップを生成するステップと、
を備える脳血流量定量方法。
【請求項８】
放射性薬剤を投与された被験者の頭部核医学画像に基づいて、脳血流量を定量するためのプログラムであって、コンピュータに、
放射性薬剤を投与された被験者の頭部核医学画像を取得するステップと、
第１の時刻から第２の時刻の間に連続的に撮像された前記頭部核医学画像のカウント数を、前記頭部核医学画像を構成する単位領域ごとに算出するステップと、
脳血流量および放射性薬剤の投与からの経過時間を変数として含み脳組織の放射性薬剤濃度に対応したＳＰＥＣＴまたはＰＥＴカウント数を表した関数において、放射性薬剤濃度に対応するＳＰＥＣＴまたはＰＥＴカウント数を前記第１の時刻から前記第２の時刻まで積分した値が前記カウント数を算出するステップにて算出されたカウント数に等しくなるような脳血流量の値を、前記単位領域ごとに算出するステップと、
前記各単位領域の脳血流量に基づいて脳血流を示すマップを生成するステップと、
を実行させるプログラム。
【発明の詳細な説明】
【関連する出願】
【０００１】
本出願では、２００８年２月１３日に日本国に出願された特許出願番号２００８−０３１９２２の利益を主張し、当該出願の内容は引用することによりここに組み込まれているものとする。
【技術分野】
【０００２】
本発明は、脳血流量を定量するための装置および方法に関する。
【背景技術】
【０００３】
脳梗塞に代表される脳血管障害は、死亡原因の上位を占めており、また、発見が遅れた場合や治療のタイミングが遅れた場合には、重篤な後遺症を残す場合がある。従って、脳血管障害の早期発見および重症度の診断は、非常に重要である。【０００４】
脳血管障害の主な診断方法としては、ＭＲＩ、ＣＴの他に、ＳＰＥＣＴ等に代表される核医学画像診断法が知られている。核医学画像診断法は、組織レベルでの脳血流の定量化が比較的容易であるため、脳血管障害の早期診断および重症度診断に広く用いられている。核医学画像診断法を利用した脳血管障害の診断法としては、Microsphere法と、ＩＭＰ−ＡＲＧ法とが主に用いられている。【０００５】
Microsphere法は、投与後の早期における脳血流製剤をいわゆるMicrosphereと見立て、１コンパートメントモデルに基づいて、核医学画像データから局所的な脳血流量を求める方法である。この方法は、理論が単純で計算が容易であるといったメリットを有する反面、動脈血の持続採血が必要であるために侵襲性が高いといった欠点がある。また、薬剤の組織から血管への洗い出しを考慮していないために、薬剤投与後の後期における定量精度が低下し、データ収集時間点が投与後比較的早期に限定されるといった欠点も有する。【０００６】
動脈血の持続採血を行う代わりに、胸部のダイナミックＳＰＥＣＴデータに基づくタイムアクティビティーカーブを用いて入力関数を推定するＮＩＭＳ法も提案されているが、やはり１コンパートメントモデルに基づく方法であり、薬剤投与後の後期においては十分な定量精度が得られない。【０００７】
ＩＭＰ−ＡＲＧ法は、放射性医薬品としてＩＭＰ（塩酸Ｎ−イソプロピル−４−［１２３Ｉ］ヨードアンフェタミン）を投与し、頭部の核医学画像における一定時間経過後のカウント数を２コンパートメントモデルの式に代入し、ルックアップテーブル法によって脳血流量を求める方法である。ＩＭＰ−ＡＲＧ法の例は、Hidehiro  Iida  et  al,  "Quantative  Mapping  of  Regional;  Cerebral  Blood  Flow  Using  Iodine-123-IMP  and  SPECT",  The  Journal  of  Nuclear  Medicine,  December  1994,  Vol.35,  No.12,  pp  2019-2030に開示されている。ＩＭＰ−ＡＲＧ法は、２コンパートメントモデルに基づく方法であるので、Microsphere法よりも理論的に優れ、また、計算に用いる入力関数の決定の際に、１点の動脈採血データを得て標準入力関数を補正する方法を用いることができ、持続採血データの必要なMicrosphere法よりも侵襲性が低いといったメリットがある。
【発明の開示】
【発明が解決しようとする課題】
【０００８】
従来のＩＭＰ−ＡＲＧ法は、薬剤投与から特定の時間が経過した時点（以下、「特定時点」という）におけるカウント数を用いて脳血流量を求める方法である。特定時点において取得した核医学画像から得られるカウント数はデータ量が少ないため、脳血流量を精度良く求めることは困難である。従来のＩＭＰ−ＡＲＧ法では、十分なカウント数を得るために、特定時点を中心とする一定時間（例えば２０〜３０分間）にデータ収集を行い、得られたカウント数を特定時点におけるカウント数として用いる。例えば、薬剤投与から３０分の時点におけるカウント数を求める場合には、２０分の時点から４０分の時点までの２０分間のカウント数を収集し、収集したカウント数を３０分の時点におけるカウント数としていた。【０００９】
しかし、この方法は、特定時点のカウント数が、データ収集期間におけるカウント数の平均によって表わされることを前提としているため、脳血流量を精度良く求めるためには、データ収集期間においてカウント数の経時変化が収束している必要がある。放射性薬剤の投与後の早期においてはＳＰＥＣＴカウント数の経時変化が大きいため、従来のＩＭＰ−ＡＲＧ法では、放射性薬剤の投与から一定の時間が経過してカウント数の経時変化が収束するまで脳血流の定量を精度良く行うことができなかった。【００１０】
本発明は、上記事情に鑑みてなされたものであり、放射性医薬品の投与後の比較的早期においても、投与後後期においてと同様に精度良く脳血流量を定量することができる脳血流量定量装置を提供することを目的とする。
【課題を解決するための手段】
【００１１】
本発明の脳血流量定量装置は、放射性薬剤を投与された被験者の頭部核医学画像を取得する核医学画像取得部と、第１の時刻から第２の時刻の間に連続的に撮像された前記頭部核医学画像のカウント数を、前記頭部核医学画像を構成する単位領域ごとに算出するカウント数算出部と、脳血流量および放射性薬剤の投与からの経過時間を変数として含み脳組織の放射性薬剤濃度に対応したＳＰＥＣＴまたはＰＥＴカウント数を表した関数において、放射性薬剤濃度に対応するＳＰＥＣＴまたはＰＥＴカウント数を前記第１の時刻から前記第２の時刻まで積分した値が前記カウント数算出部にて算出されたカウント数に等しくなるような脳血流量の値を、前記単位領域ごとに算出する脳血流量算出部と、前記各単位領域の脳血流量に基づいて脳血流を示すマップを生成する脳血流マップ生成部とを備える。【００１２】
以下に説明するように、本発明には他の態様が存在する。したがって、この発明の開示は、本発明の一部の提供を意図しており、ここで記述され請求される発明の範囲を制限することは意図していない。
【図面の簡単な説明】
【００１３】
【図１】実施の形態の脳血流量定量装置の構成を示す図である。
【図２】実施の形態の脳血流量定量装置の動作を示す図である。
【図３】実施の形態の脳血流量定量用のプログラムの構成を示す図である。
【図４】再構成画像を加算した画像の例を示す図である。
【発明を実施するための最良の形態】
【００１４】
以下に、本発明の詳細な説明を述べる。以下に説明する実施の形態は本発明の単なる例であり、本発明は様々な態様に変形することができる。従って、以下に開示する特定の構成および機能は、請求の範囲を限定するものではない。【００１５】
本実施の形態の脳血流量定量装置は、放射性薬剤を投与された被験者の頭部核医学画像を取得する核医学画像取得部と、第１の時刻から第２の時刻の間に連続的に撮像された頭部核医学画像のカウント数を、頭部核医学画像を構成する単位領域ごとに算出するカウント数算出部と、脳血流量および放射性薬剤の投与からの経過時間を変数として含み脳組織の放射性薬剤濃度に対応したＳＰＥＣＴまたはＰＥＴカウント数を表した関数において、放射性薬剤濃度に対応するＳＰＥＣＴまたはＰＥＴカウント数を第１の時刻から第２の時刻まで積分した値がカウント数算出部にて算出されたカウント数に等しくなるような脳血流量の値を、単位領域ごとに算出する脳血流量算出部と、各単位領域の脳血流量に基づいて脳血流を示すマップを生成する脳血流マップ生成部とを備える。【００１６】
この構成により、収集したカウント数の経時変化が収束していなくても適切に脳血流量を求めることができ、放射性薬剤投与後の早期においても、精度良く脳血流量の定量を行うことができる。また、本実施の形態では、特定時点における放射性薬剤濃度に基づいて脳血流量を定量するのではなく、所定の時間幅における放射性薬剤濃度の変化をも考慮して脳血流量を定量するため、その時間幅の中でカウント数が変動しても適切に脳血流量を求めることができる。なお、カウント数の算出に用いる頭部核医学画像は、薬剤投与直後から継続して撮像した頭部核医学画像の中から第１の時刻と第２の時刻との間の頭部核医学画像を取り出してもよいし、第１の時刻と第２の時刻との間だけ頭部核医学画像を撮像することによって得てもよい。【００１７】
本実施の形態の脳血流量定量装置において、核医学画像取得部は、第１の時刻から第２の時刻の間に複数の頭部核医学画像を取得し、カウント数算出部は、第１の時刻から第２の時刻の間に撮像された複数の頭部核医学画像において脳組織の同じ場所を示す単位領域から得られたカウント数を加算して単位領域ごとのカウント数を算出してもよい。【００１８】
この構成により、例えば、ダイナミックスキャンによって取得した複数の頭部核医学画像を用いて、単位領域ごとのカウント数を適切に求めることができる。【００１９】
本実施の形態の脳血流量定量装置は、核医学画像取得部にて取得された複数の頭部核医学画像から、脳血流量の定量に用いる時系列的に連続した頭部核医学画像を指定するために、連続した複数の頭部核医学画像の最初と最後の画像を選択する画像選択部を備え、カウント数算出部は、最初の頭部核医学画像の撮像開始時刻を第１の時刻とし、最後の頭部核医学画像の撮像終了時刻を第２の時刻とし、カウント数を算出してもよい。また、本実施の形態の脳血流量定量装置は、時刻情報の入力を受け付ける時刻情報入力部を備え、カウント数算出部は、入力された時刻情報に基づいて第１の時刻と第２の時刻を決定し、カウント数を算出してもよい。【００２０】
この構成により、脳血流量の定量に用いるデータを適切に設定することができる。【００２１】
本実施の形態の脳血流量定量装置において、脳血流量算出部は、関数として式（１）を用い、各単位領域における脳血流量ｋ１を算出してもよい。
【数１】
2009101759.tif 000003
【００２２】
この構成により、従来の２コンパートメントのモデルを利用できるので、公知の方法によるパラメータや入力関数の推定方法を利用することができる。【００２３】
本実施の形態の脳血流量定量装置において、脳血流量算出部は、算出された最小のカウント数から最大のカウント数までの全てのカウント数に対応する脳血流量を示すテーブルを作成するテーブル作成部を備え、テーブルを参照して各単位領域のカウント数に対応する脳血流量を求めてもよい。【００２４】
この構成により、一旦テーブルを作成した後は、テーブルを参照して脳血流量を求めることができる。計算対象の単位領域の数が多い場合には、テーブルを作成することによって、計算処理の効率を高めることができる。また、テーブルは、算出された最小のカウント数から最大のカウント数までの全てのカウント数に対応する脳血流量のデータを有するので、どのカウント数に対しても対応する脳血流量が存在し、補間処理を行う必要がないので、適切に脳血流量を求めることができる。【００２５】
本実施の形態の脳血流量定量方法は、放射性薬剤を投与された被験者の頭部核医学画像に基づいて、コンピュータが脳血流量を定量するための方法であって、コンピュータが、放射性薬剤を投与された被験者の頭部核医学画像を取得するステップと、コンピュータが、第１の時刻から第２の時刻の間に連続的に撮像された頭部核医学画像のカウント数を、頭部核医学画像を構成する単位領域ごとに算出するステップと、コンピュータが、脳血流量および放射性薬剤の投与からの経過時間を変数として含み脳組織の放射性薬剤濃度に対応したＳＰＥＣＴまたはＰＥＴカウント数を表した関数において、放射性薬剤濃度に対応するＳＰＥＣＴまたはＰＥＴカウント数を第１の時刻から第２の時刻まで積分した値がカウント数を算出するステップにて算出されたカウント数に等しくなるような脳血流量の値を、単位領域ごとに算出するステップと、コンピュータが、各単位領域の脳血流量に基づいて脳血流を示すマップを生成するステップとを備える。【００２６】
この構成により、本実施の形態の脳血流量定量装置と同様に、収集したカウント数の経時変化が収束していなくても適切に脳血流量を求めることができ、放射性薬剤投与後の早期においても、精度良く脳血流量の定量を行うことができる。なお、本実施の形態の脳血流量定量装置の各種の構成を本実施の形態の脳血流量定量方法に適用することも可能である。【００２７】
本実施の形態のプログラムは、放射性薬剤を投与された被験者の頭部核医学画像に基づいて、脳血流量を定量するためのプログラムであって、コンピュータに、放射性薬剤を投与された被験者の頭部核医学画像を取得するステップと、第１の時刻から第２の時刻の間に連続的に撮像された頭部核医学画像のカウント数を、頭部核医学画像を構成する単位領域ごとに算出するステップと、脳血流量および放射性薬剤の投与からの経過時間を変数として含み脳組織の放射性薬剤濃度に対応したＳＰＥＣＴまたはＰＥＴカウント数を表した関数において、放射性薬剤濃度に対応するＳＰＥＣＴまたはＰＥＴカウント数を第１の時刻から第２の時刻まで積分した値がカウント数算出部にて算出されたカウント数に等しくなるような脳血流量の値を、単位領域ごとに算出するステップと、各単位領域の脳血流量に基づいて脳血流を示すマップを生成するステップとを実行させる。【００２８】
この構成により、本実施の形態の脳血流量定量装置と同様に、収集したカウント数の経時変化が収束していなくても適切に脳血流量を求めることができ、放射性薬剤投与後の早期においても、精度良く脳血流量の定量を行うことができる。なお、本実施の形態の脳血流量定量装置の各種の構成を本実施の形態のプログラムに適用することも可能である。【００２９】
以下、本発明の実施の形態の脳血流量定量装置および脳血流量定量方法について、図面を参照して説明する。
図１は、本実施の形態の脳血流量定量装置１０の構成を示す図である。脳血流量定量装置１０は、ＳＰＥＣＴ撮像装置４０から入力される再構成画像を取得する核医学画像取得部１２を有している。好ましい態様において、ＳＰＥＣＴ撮像装置４０は、被験者に放射性薬剤を投与した時点から被験者をガンマカメラ４２にて連続的に撮像し、画像再構成部４４にて投影画像から再構成画像を生成する。核医学画像取得部１２は、ＳＰＥＣＴ撮像装置４０にて得られた再構成画像を順次取得する。脳血流量定量装置１０は、ＳＰＥＣＴ撮像装置４０から取得した再構成画像を用いて脳血流量を定量する。【００３０】
脳血流量定量装置１０は、定量に用いる頭部核医学画像を指定するための第１の時刻および第２の時刻を入力する時刻入力部１４と、第１の時刻から第２の時刻までに撮像された複数の再構成画像を用い、脳血流を求めるべき関心領域を構成するピクセル毎のカウント数を求めるカウント数算出部１６を有している。好ましい態様において、カウント数算出部１６は、前記複数の再構成画像において脳組織の同じ場所を示すピクセルから得られたカウント数を加算することにより、脳血流量の計算に用いるカウント数を算出する。本実施の形態では、脳組織の同じ場所を示す単位領域が一のピクセルによって規定されている。カウント数算出部１６は、複数の再構成画像を加算した加算画像を生成し、加算画像の各ピクセルのカウント数を求めてもよい。なお、脳組織の同じ場所を示す単位領域は、必ずしも一のピクセルで構成される必要はなく、例えば２×２の４ピクセルで構成されてもよい。ただし、単位領域が小さいほど、脳血流マップの空間分解能が高くなる。【００３１】
脳血流量定量装置１０は、被験者における入力関数を決定する入力関数決定部１８を有している。ここで、入力関数とは、被験者の脳組織に移行する放射性薬剤量の経時変化を表す関数である。入力関数決定部１８には、放射能カウント入力部２０と標準入力関数記憶部２２とが接続されている。標準入力関数記憶部２２は、あらかじめ作成された標準入力関数を記憶している。放射能カウント入力部２０は、薬剤投与後の所定の時刻（例えば、薬剤投与から８分後）に、被験者から採血した血液の、放射能カウントの入力を受け付ける。入力関数決定部１８は、標準入力関数を、放射能カウント入力部２０より入力される放射能カウントによって補正して入力関数を求める。【００３２】
脳血流量定量装置１０は、脳組織の放射性薬剤濃度に対応したＳＰＥＣＴまたはＰＥＴカウント数を表した関数を用いて、脳血流量を算出する脳血流量算出部２４を有している。ここで、放射性薬剤濃度（カウント数）は、入力関数を用いて、下記の式（１）によって表される。
【数２】
2009101759.tif 000004
【００３３】
脳血流量算出部２４は、式（１）の左辺に、カウント数算出部１６にて求めた各ピクセルのカウント数を代入する。そして、脳血流量算出部２４は、公知の方法によるフィッティングを行って、式（１）が成り立つような脳血流量ｋ１を求める。これにより、各ピクセルが示す領域の脳血流量を求めることができる。このとき、フィッティングに先立ち、公知の方法等を用いてあらかじめ決定された分配係数Ｖｄの値を、上記式（１）に代入してもよい。これにより、フィッティングに用いるパラメータの数を減らすことができ、精度を向上させることが可能となる。【００３４】
脳血流量算出部２４は、計算処理負担を軽減するために、テーブル生成部２６を有している。テーブル生成部２６は、カウント数算出部１６にて算出された最小のカウント数から最大のカウント数までのすべてのカウント数に対応する脳血流量ｋ１を示すテーブルを生成する機能を有する。具体的には、例えば、各ピクセルから得られた最小のカウント数を１、最大のカウント数を１０００とすると、式（１）の左辺に１を代入したとき（カウント数１に相当）の脳血流量ｋ１（１）、式（１）の左辺に２を代入したとき（カウント数２に相当）の脳血流量ｋ１（２）、・・・式（１）の左辺に１０００を代入したとき（カウント数１０００に相当）の脳血流量ｋ１（１０００）をあらかじめ求め、テーブル記憶部２８に記憶しておく。そして、脳血流量算出部２４は、カウント数算出部１６にて算出された各ピクセルのカウント数ｎに対応する脳血流量ｋ１（ｎ）をテーブル２８から読み出す。これにより、脳血流量を求めるべきピクセル数が１０００ピクセルより多い場合には、フィッティングによる計算回数を減らして効率良く脳血流量を求めることができる。【００３５】
脳血流量定量装置１０は、脳血流量算出部２４にて求めた各ピクセルの脳血流量に基づいて、公知の方法を用いて脳血流マップを生成する脳血流マップ生成部３０を有している。好ましい態様において、脳血流マップ生成部３０は、色によって脳血流量を示すマップを生成する。【００３６】
次に、本実施の形態の脳血流量定量装置１０の動作について説明する。好ましい態様において、脳血流量の定量に際して、被験者に、１２３Ｉ−ＩＭＰ等の放射性薬剤を投与し、投与した時点から被験者の頭部のＳＰＥＣＴ画像をＳＰＥＣＴ撮像装置４０にて撮像する。脳血流量定量装置１０は、ＳＰＥＣＴ画像の再構成画像を用いて脳血流量を定量する。【００３７】
図２は、本実施の形態の脳血流量定量装置１０の動作を示すフローチャートである。まず、ＳＰＥＣＴ撮像装置４０は、薬剤が投与された被験者の頭部を公知の方法により撮像する（Ｓ１０）。ＳＰＥＣＴ撮像装置４０は、撮像によって得られた投影画像を再構成して再構成画像を生成し（Ｓ１２）、生成した再構成画像を脳血流量定量装置１０に送信する。なお、以下の説明では、時間的に連続した複数の再構成画像を撮像する場合において、それぞれの再構成画像を取得する工程を、「フェーズ」と呼ぶ。１フェーズは、例えば２．５分程度で終了する。【００３８】
脳血流量定量装置１０は、ＳＰＥＣＴ撮像装置４０から送信された再構成画像を取得する（Ｓ１４）。好ましい態様において、脳血流量定量装置１０は、ユーザに対して第１の時刻ｔ１と第２の時刻ｔ２の入力を促し、第１の時刻ｔ１および第２の時刻ｔ２の入力をユーザから受け付ける（Ｓ１６）。脳血流量定量装置１０は、撮像期間に第１の時刻ｔ１を含むフェーズを特定し、そのフェーズの次のフェーズを最初のフェーズとする。また、撮像期間に第２の時刻を含むフェーズを特定し、そのフェーズの前のフェーズを最後のフェーズとする。そして、最初のフェーズから最後のフェーズまでの間に連続的に撮像された複数の再構成画像を選択する。ここでは、入力された第１の時刻ｔ１を含むフェーズの次のフェーズを最初のフェーズとしたが、第１の時刻ｔ１を含むフェーズを最初のフェーズとしてもよい。同様に、入力された第２の時刻ｔ２を含むフェーズを最後のフェーズとしてもよい。【００３９】
脳血流量定量装置１０は、入力された第１の時刻ｔ１を上記で選択した最初のフェーズの撮像開始時刻に置き換え、入力された第２の時刻ｔ２を上記で選択した最後のフェーズの撮像終了時刻ｔ２に置き換える。この置き換えは、上記した式（１）において、左辺に代入するカウント数算出に用いる画像を取得した期間に合わせて、右辺に代入する第１の時刻ｔ１、第２の時刻ｔ２を整合させる処理である。【００４０】
脳血流量定量装置１０は、再構成画像の各ピクセルにおいて、最初のフェーズから最後のフェーズまでの間に含まれる各フェーズに撮像された再構成画像において脳組織の同じ場所を示すピクセルのカウント数を加算し、定量に用いるカウント数をピクセル毎に算出する。すなわち、上記で選択した最初のフェーズから最後のフェーズまでの間に含まれる各フェーズにて得られた再構成画像において同一の部位を示すピクセルから得られたカウント数を加算する（Ｓ１８）。【００４１】
次に、脳血流量定量装置１０は、被験者の脳組織に対する放射性薬剤の入力関数を決定する（Ｓ２０）。好ましい態様において、被験者から採血した動脈血につき求めた放射能カウントを用いて、標準入力関数を補正し、その被験者特有の入力関数を決定する。続いて、脳血流量定量装置１０は、上記した式（１）に示す放射性薬剤濃度を示す関数を用いて、
【数３】
2009101759.tif 000005
（上記ステップＳ１６で求めたカウント数に相当）に対応する脳血流量ｋ１を示すテーブルを生成する（Ｓ２２）。テーブル作成の具体的な方法については、すでに説明したとおりである。脳血流量定量装置１０は、上記ステップＳ１６で求めた各ピクセルのカウント数に対応する脳血流量を、テーブル２８から読み出す（Ｓ２４）。【００４２】
脳血流量定量装置１０は、脳血流量を求めたい領域の全ピクセルについて、カウント数に対応する脳血流量を読み出したか否かを判定し（Ｓ２６）、全ピクセルからの読出しを終了していない場合には（Ｓ２６でＮＯ）、残りのピクセルについて脳血流量の読出しを行う。全ピクセルからの読出しを終了した場合には（Ｓ２６でＹＥＳ）、脳血流量定量装置１０は、読み出した各ピクセルの脳血流量を用いて、脳血流マップを生成する（Ｓ２８）。脳血流マップの生成は、例えば各ピクセルにつき求めた脳血流量に対応した輝度または色等を、対応する各ピクセルに配して表示するといった方法によって行うことができる。
以上、本実施の形態の脳血流量定量装置１０および脳血流量定量方法について説明した。【００４３】
本実施の形態の脳血流量定量装置１０は、放射性薬剤濃度に対応したＳＰＥＣＴまたはＰＥＴカウント数を示す関数を第１の時刻ｔ１から第２の時刻ｔ２まで積分した値が、第１の時刻ｔ１から第２の時刻ｔ２までに連続して撮像された再構成画像のカウント数に等しくなるような脳血流量を求めることにより、第１の時刻ｔ１から第２の時刻ｔ２の間においてカウント数の経時変化がある場合にも適切に脳血流量を求めることができる。これにより、薬剤投与後の早期において、脳血流量を定量することが可能となり、脳血流の定量に要する時間を短縮することができる。定量時間を短縮することにより、被験者への負担を軽減できる上、検査機関における検査回数の増加につながるので非常に有効である。【００４４】
以上、本発明の脳血流量定量装置について最も好ましい実施の形態を挙げて詳細に説明したが、本発明は上記した実施の形態に限定されるものではない。【００４５】
例えば、ＳＰＥＣＴ画像の代わりにＰＥＴ画像を用いることも可能である。この場合、被験者に投与する放射性医薬品としてＰＥＴ検査用の薬剤を用い、図１におけるＳＰＥＣＴ装置をＰＥＴ装置に、図２におけるＳＰＥＣＴ撮像をＰＥＴ撮像にそれぞれ置き換え、上記と同様の処理を行えばよい。【００４６】
上記した本実施の形態の脳血流量定量装置１０の構成について説明したが、図１に示す脳血流量定量装置１０の各構成は、コンピュータによって脳血流量定量用のプログラムを実行することによって実現することとしてもよい。【００４７】
図３は、脳血流量定量用のプログラムの構成を示す図である。脳血流量定量用のプログラム５０は、核医学画像取得モジュール５２、時刻入力モジュール５４、カウント数算出モジュール５６、入力関数決定モジュール５８、脳血流量算出モジュール６４、脳血流マップ生成モジュール６８を有している。入力関数決定モジュール５８は、放射能カウント入力モジュール６０と、標準入力関数データ６２を有しており、脳血流量算出モジュール６４は、テーブル生成モジュール６６を有している。【００４８】
核医学画像取得モジュール５２をコンピュータによって実行することにより、図１に示す核医学画像取得部１２を実現できる。同様に、時刻入力モジュール５４、カウント数算出モジュール５６、入力関数決定モジュール５８、放射能カウント入力モジュール６０、脳血流量算出モジュール６４、テーブル生成モジュール６６、脳血流マップ生成モジュール６８をコンピュータによって実行することにより、図１に示す時刻入力部１４、カウント数算出部１６、入力関数決定部１８、放射能カウント入力部２０、脳血流量算出部２４、テーブル生成部２６、脳血流マップ生成部３０を実現できる。なお、入力関数決定モジュール５８に含まれる標準入力関数データ６２は、図１に示す標準入力関数記憶部２２に相当する。【００４９】
上記した実施の形態では、定量に用いる頭部核医学画像を指定するための第１の時刻ｔ１および第２の時刻ｔ２を入力する例について説明したが、連続して撮像された一連の再構成画像から再構成画像を選択することによって脳血流量の定量に用いる画像、第１の時刻ｔ１、第２の時刻ｔ２を求めてもよい。例えば、核画像取得部１２にて取得した再構成画像を時系列に表示し、どの再構成画像を用いて脳血流量の定量を行うかをユーザに問い合わせる。ユーザは、脳血流量の定量に用いるべき複数の再構成画像の最初の画像と最後の画像を選択する。脳血流量定量装置は、選択された２つの再構成画像と、時間的に２つの再構成画像の間にある画像からカウント数を求める。そして、脳血流量定量装置は、選択された最初の再構成画像の撮像開始時刻を第１の時刻ｔ１、最後の再構成画像の撮像終了時刻を第２の時刻ｔ２として、上記した式（１）を用いて脳血流量の定量を行う。【００５０】
また、脳血流量定量装置１０は、第１の時刻ｔ１および第２の時刻ｔ２を、何らかの基準によって決定してもよい。例えば、再構成画像の全ピクセルの平均カウント数が所定の閾値以上となった時点を第１の時刻ｔ１とし、第１の時刻ｔ１から一定時間後を第２の時刻ｔ２としてもよい。【００５１】
上記した実施の形態では、放射性薬剤濃度を示す式（１）は、２コンパートメントモデルに基づく関数であったが、本発明では、２コンパートメントモデル以外のモデルに基づく関数を用いてもよい。【００５２】
上記した実施の形態では、放射能カウント入力部２０にて入力された放射能カウントに基づいて、標準入力関数を補正する例について説明したが、他の公知の方法に基づいて推定された入力関数を用いてもよい。【００５３】
上記した実施の形態では、脳血流量算出部２４は、計算処理の負荷を軽減するために、カウント数に対応する脳血流量を示すテーブルを生成する例について説明したが、脳血流量を求めるべきピクセル数が少ない場合や、計算処理能力の大きいコンピュータを用いる場合には、必ずしもテーブルを生成する必要はない。【００５４】
上記した実施の形態では、第１の時刻から第２の時刻までを複数のフェーズに区切り、フェーズごとに再構成画像を生成し、生成された複数の頭部核医学画像を用いて脳血流量の定量を行う例について説明したが、必ずしも複数の頭部核医学画像を用いる必要はない。例えば、第１の時刻ｔ１から第２の時刻ｔ２までの間に得られた複数の投影画像から一の再構成画像を再構成し、そのカウント数を用いて、脳血流量の定量を行ってもよい。第１の時刻ｔ１と第２の時刻ｔ２の間を複数のフェーズに区切るか否かに関わらず、頭部核医学画像から得られる総カウント数は同じなので、一の再構成画像を用いても、本実施の形態と同様に適切に脳血流量の定量を行える。【００５５】
上記した実施の形態では、カウント数算出部１６が時刻入力部１４から入力された第１の時刻ｔ１および第２の時刻ｔ２に基づいて、核医学画像取得部１２にて取得した再構成画像の中から脳血流量の定量に用いるべき画像を決定する構成について説明したが、時刻入力部１４からの入力を核医学画像取得部１２に入力し、核医学画像取得部１２にて第１の時刻ｔ１から第２の時刻ｔ２までの再構成画像のみ取得する構成としてもよい。この際、核医学画像取得部１２は、ＳＰＥＣＴ撮像装置４０に第１の時刻ｔ１、第２の時刻ｔ２の情報を与え、ＳＰＥＣＴ撮像装置４０が第１の時刻から第２の時刻までの間のみ撮像を行うように制御してもよい。
【実施例】
【００５６】
以下に、実施例と比較例を示して本発明をより詳しく説明するが、本発明は下記の内容に限定されるものではない。本実施例では、再構成画像に関心領域を設定し、以下の時間に撮像された再構成画像を用いて、画像上で設定した関心領域における脳血流量を定量した。すなわち、（実施例１）０〜１０分、（実施例２）１０〜２０分、（実施例３）０〜２０分、（実施例４）１５〜３５分、（実施例５）１５〜２５分とした。また、比較例として、従来の方法で薬剤の投与から１５〜３５分における再構成画像を用いて、関心領域の脳血流量を定量した。【００５７】
［ＳＰＥＣＴデータの収集］
被験者に、１２３Ｉ−ＩＭＰ（２００ＭＢｑ）を投与し、１スキャン２．５分で連続１４スキャンのダイナミックＳＰＥＣＴデータの収集を行った。【００５８】
［標準入力関数の補正］
秋田県立脳血管研究センターにて作成された標準入力関数（非特許文献１参照）を、被験者の動脈血における放射能カウントを用いて下記の要領にて補正し、入力関数を求めた。放射性薬剤の投与後８分に動脈血を採取し、シンチレーションカウンターを用いて放射能カウントを測定し、単位時間単位質量あたりの放射能カウントを求めた。得られた単位時間単位質量あたりの放射能カウントを、標準入力関数の８分点における放射能カウントで除し、補正係数を求めた。得られた補正係数を、標準入力関数に乗じ、標準入力関数を補正して、さらにクロスキャリブレーションファクターを用いた補正を行って入力関数Ｃ（τ）を求めた。【００５９】
クロスキャリブレーションファクターを用いた補正については、Hidehiro  Iid  et  al,  "A  method  to  quantitate  cerebral  blood  flow  using  a  rotating  gamma  camera  and  iodine-123  iodoamphetamine  with  one  blood  sampling  "European  Journal  of  Nuclear  Medicine,  October  1994,  Vol.21,  No.10,  pp1072-1084、蜂谷武憲他、「ＳＰＥＣＴ装置とウエルカウンターのクロスキャリブレーションの安定性」核医学技術,  1995,  Vol.15,  No.2,  pp105-109、蜂谷武憲他、「ＳＰＥＣＴ装置におけるクロスキャリブレーションの誤差要因」、核医学技術1996,  Vol.16  No.2,  pp58-62に記載されている。【００６０】
［実施例１〜５］本実施例による脳血流量の算出
（テーブルの作成）
本発明による実施例では、放射性薬剤濃度を示す関数として、上記式（１）を用いた。式（１）において、実施例１では、第１の時刻ｔ１を０分、第２の時刻ｔ２を１０分とし、左辺に１を代入して、ガウスニュートン法によるフィッティングを行って、ｋ１の値を算出した。この操作を、左辺に２から１０００までの整数を当てはめて順次実行し、任意のカウント数に対応するｋ１を表すテーブル１を作成した。【００６１】
上記と同様の操作を、実施例２では第１の時刻ｔ１を１０分、第２の時刻ｔ２を２０分とし、実施例３では第１の時刻ｔ１を０分、第２の時刻ｔ２を２０分とし、実施例４では第１の時刻ｔ１を１５分、第２の時刻ｔ２を３５分とし、実施例５では第１の時刻ｔ１を１５分、第２の時刻ｔ２を２５分として行って、各実施例に対応するテーブルを作成した。それぞれテーブル２、テーブル３、テーブル４、テーブル５とする。なお、各テーブルの作成において、Ｖｄの値は３５（ｍＬ／ｍＬ）を用いた。【００６２】
（脳血流量の定量）
各実施例のそれぞれのフェーズにつき、フィルタードバックプロジェクション法による画像再構成を行って複数の横断像（再構成画像：マトリックス：６４×６４、ピクセルサイズ：３．４４ｍｍ×３．４４ｍｍ×３．４４ｍｍ）を作成した。実施例１では０〜１０分までの４フェーズ、実施例２では１０〜２０分までの４フェーズ、実施例３では０〜２０分までの８フェーズ、実施例４では１５〜３５分までの８フェーズ、実施例５では１５〜２５分までの４フェーズのそれぞれについて基底核レベルのスライスを選択し、選択したスライスを加算して加算画像を作成した（それぞれ加算画像１〜５とする）。【００６３】
図４は、加算画像の一例を示す図である。図４に示すように加算画像の８ヶ所に矩形（５ピクセル×５ピクセル）の関心領域を設定した。作成した加算画像１〜５の各ピクセルにつき、それぞれ上記で作成したテーブル１〜５を用いて血流量を求め、ＣＢＦマップを作成した。得られたＣＢＦマップ上で関心領域内に含まれる各ピクセルの脳血流量（ｍＬ／分／１００ｇ）を読み出し、関心領域内ごとに脳血流量の平均値を算出した。【００６４】
［比較例］従来法による脳血流量の算出
投与後１５分から３５分までの計８フェーズのＳＰＥＣＴ収集データのそれぞれにつき、上記した実施例と同様に、複数の再構成画像を作成した。各フェーズにつき基底核レベルのスライスを選択し、加算して加算画像を作成した（図４参照）。図４に示す８ヶ所に矩形（５ピクセル×５ピクセル）の関心領域を設定した。別に、下記式（２）を用い、Ｂ（ｔ）に対応したｋ１の値を表すテーブルを、非特許文献１に記載の方法により作成した。上記テーブルを用い、上記で求めた加算画像におけるピクセル毎のカウント数Ｂ（ｔ）に対応したｋ１を求め、ＣＢＦマップを作成した。得られたＣＢＦマップ上で、上記関心領域内に含まれるピクセルのｋ１を読み出し、関心領域毎に平均値を算出した。なお、式（２）において、Ｖｄの値は、３５（ｍＬ／ｍＬ）を用いた。
【数４】
2009101759.tif 000006
【００６５】
［結果］
結果を、表１に示す。全ての関心領域における脳血流量の計算値は、定量に用いた区間にかかわらず、ほぼ同等の値を示し、従来法にて求めた値とも、ほぼ同等の値を示していた。この結果から、本法に係る定量法により、定量に用いる頭部核医学画像を取得した時間にかかわらず、従来法にて求めた値とほぼ等しい値が求められることが示された。【００６６】
【表１】
2009101759.tif 000007
【００６７】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【００６８】
本発明は、放射性薬剤投与後の早期において、脳血流量の定量を行うことができるという効果を有し、脳血流量を定量する装置等として有用である。
【図１】
2009101759.tif 000009
【図２】
2009101759.tif 000010
【図３】
2009101759.tif 000011
【図４】
2009101759.tif 000012
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
放射性薬剤を投与された被験者の頭部核医学画像を取得する核医学画像取得部と、
第１の時刻から第２の時刻の間に連続的に撮像された前記頭部核医学画像のＳＰＥＣＴまたはＰＥＴのカウント数を、前記頭部核医学画像を構成する単位領域ごとに算出するカウント数算出部と、
脳血流量および放射性薬剤の投与からの経過時間を変数として含み脳組織の放射性薬剤濃度に対応して前記第１の時刻から前記第２の時刻までの間に得られるＳＰＥＣＴまたはＰＥＴカウント数を表した関数において、放射性薬剤濃度に対応するＳＰＥＣＴまたはＰＥＴカウント数を前記第１の時刻から前記第２の時刻まで積分した値が、前記カウント数算出部にて算出されたカウント数に等しくなるように、前記関数の変数である脳血流量の値を、前記単位領域ごとに算出する脳血流量算出部と、
前記各単位領域の脳血流量に基づいて脳血流を示すマップを生成する脳血流マップ生成部と、
を備える脳血流量定量装置。
【請求項２】
前記核医学画像取得部は、前記第１の時刻から前記第２の時刻の間に複数の頭部核医学画像を取得し、
前記カウント数算出部は、前記第１の時刻から前記第２の時刻の間に撮像された複数の前記頭部核医学画像において脳組織の同じ場所を示す前記単位領域から得られたカウント数を加算して前記単位領域ごとのカウント数を算出する請求項１に記載の脳血流量定量装置。
【請求項３】
前記核医学画像取得部にて取得された複数の頭部核医学画像から、脳血流量の定量に用いる時系列的に連続した頭部核医学画像を指定するために、連続した複数の頭部核医学画像の最初と最後の画像を選択する画像選択部を備え、
前記カウント数算出部は、最初の頭部核医学画像の撮像開始時刻を前記第１の時刻とし、最後の頭部核医学画像の撮像終了時刻を前記第２の時刻とし、前記カウント数を算出する請求項２に記載の脳血流量定量装置。
【請求項４】
時刻情報の入力を受け付ける時刻情報入力部を備え、
前記カウント数算出部は、入力された時刻情報に基づいて前記第１の時刻と前記第２の時刻を決定し、前記カウント数を算出する請求項１に記載の脳血流量定量装置。
【請求項５】
前記脳血流量算出部は、前記関数として式（１）を用い、前記各単位領域における脳血流量ｋ1を算出する請求項１〜４のいずれかに記載の脳血流量定量装置。
【数１】
2009101759.tif 000013
【請求項６】
前記脳血流量算出部は、算出された最小のカウント数から最大のカウント数までの全てのカウント数に対応する脳血流量を示すテーブルを作成するテーブル作成部を備え、
前記テーブルを参照して前記各単位領域のカウント数に対応する脳血流量を求める請求項１〜５のいずれかに記載の脳血流量定量装置。
【請求項７】
放射性薬剤を投与された被験者の頭部核医学画像に基づいて、コンピュータが脳血流量を定量するための方法であって、
コンピュータが、放射性薬剤を投与された被験者の頭部核医学画像を取得するステップと、
コンピュータが、第１の時刻から第２の時刻の間に連続的に撮像された前記頭部核医学画像のＳＰＥＣＴまたはＰＥＴのカウント数を、前記頭部核医学画像を構成する単位領域ごとに算出するステップと、
コンピュータが、脳血流量および放射性薬剤の投与からの経過時間を変数として含み脳組織の放射性薬剤濃度に対応して前記第１の時刻から前記第２の時刻までの間に得られるＳＰＥＣＴまたはＰＥＴカウント数を表した関数において、放射性薬剤濃度に対応するＳＰＥＣＴまたはＰＥＴカウント数を前記第１の時刻から前記第２の時刻まで積分した値が、前記カウント数を算出するステップにて算出されたカウント数に等しくなるように、前記関数の変数である脳血流量の値を、前記単位領域ごとに算出するステップと、
コンピュータが、前記各単位領域の脳血流量に基づいて脳血流を示すマップを生成するステップと、
を備える脳血流量定量方法。
【請求項８】
放射性薬剤を投与された被験者の頭部核医学画像に基づいて、脳血流量を定量するためのプログラムであって、コンピュータに、
放射性薬剤を投与された被験者の頭部核医学画像を取得するステップと、
第１の時刻から第２の時刻の間に連続的に撮像された前記頭部核医学画像のＳＰＥＣＴまたはＰＥＴのカウント数を、前記頭部核医学画像を構成する単位領域ごとに算出するステップと、
脳血流量および放射性薬剤の投与からの経過時間を変数として含み脳組織の放射性薬剤濃度に対応して前記第１の時刻から前記第２の時刻までの間に得られるＳＰＥＣＴまたはＰＥＴカウント数を表した関数において、放射性薬剤濃度に対応するＳＰＥＣＴまたはＰＥＴカウント数を前記第１の時刻から前記第２の時刻まで積分した値が、前記カウント数を算出するステップにて算出されたカウント数に等しくなるように、前記関数の変数である脳血流量の値を、前記単位領域ごとに算出するステップと、
前記各単位領域の脳血流量に基づいて脳血流を示すマップを生成するステップと、
を実行させるプログラム。
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
放射性薬剤を投与された被験者の頭部核医学画像を取得する核医学画像取得部と、
第１の時刻から第２の時刻の間に連続的に撮像された前記頭部核医学画像のＳＰＥＣＴまたはＰＥＴのカウント数の総和を、前記頭部核医学画像を構成する単位領域ごとに算出するカウント数算出部と、
脳血流量および放射性薬剤の投与からの経過時間を変数として含み脳組織の放射性薬剤濃度に対応して前記第１の時刻から前記第２の時刻までの間に得られるＳＰＥＣＴまたはＰＥＴカウント数を表した関数を、前記第１の時刻から前記第２の時刻まで積分した値が、前記カウント数算出部にて算出されたカウント数の総和に等しくなるように、前記関数の変数である脳血流量の値を、前記単位領域ごとに算出する脳血流量算出部と、
前記各単位領域の脳血流量に基づいて脳血流を示すマップを生成する脳血流マップ生成部と、
を備える脳血流量定量装置。
【請求項２】
前記核医学画像取得部は、前記第１の時刻から前記第２の時刻の間に複数の頭部核医学画像を取得し、
前記カウント数算出部は、前記第１の時刻から前記第２の時刻の間に撮像された複数の前記頭部核医学画像において脳組織の同じ場所を示す前記単位領域から得られたカウント数を加算して前記単位領域ごとのカウント数の総和を算出する請求項１に記載の脳血流量定量装置。
【請求項３】
前記核医学画像取得部にて取得された複数の頭部核医学画像から、脳血流量の定量に用いる時系列的に連続した頭部核医学画像を指定するために、連続した複数の頭部核医学画像の最初と最後の画像を選択する画像選択部を備え、
前記カウント数算出部は、最初の頭部核医学画像の撮像開始時刻を前記第１の時刻とし、最後の頭部核医学画像の撮像終了時刻を前記第２の時刻とし、前記カウント数の総和を算出する請求項２に記載の脳血流量定量装置。
【請求項４】
時刻情報の入力を受け付ける時刻情報入力部を備え、
前記カウント数算出部は、入力された時刻情報に基づいて前記第１の時刻と前記第２の時刻を決定し、前記カウント数の総和を算出する請求項１に記載の脳血流量定量装置。
【請求項５】
前記脳血流量算出部は、前記関数として式（１）を用い、前記各単位領域における脳血流量ｋ1を算出する請求項１〜４のいずれかに記載の脳血流量定量装置。
【数１】
2009101759.tif 000014
【請求項６】
前記脳血流量算出部は、算出された最小のカウント数から最大のカウント数までの全てのカウント数に対応する脳血流量を示すテーブルを作成するテーブル作成部を備え、
前記テーブルを参照して前記各単位領域のカウント数に対応する脳血流量を求める請求項１〜５のいずれかに記載の脳血流量定量装置。
【請求項７】
放射性薬剤を投与された被験者の頭部核医学画像に基づいて、コンピュータが脳血流量を定量するための方法であって、
コンピュータが、放射性薬剤を投与された被験者の頭部核医学画像を取得するステップと、
コンピュータが、第１の時刻から第２の時刻の間に連続的に撮像された前記頭部核医学画像のＳＰＥＣＴまたはＰＥＴのカウント数の総和を、前記頭部核医学画像を構成する単位領域ごとに算出するステップと、
コンピュータが、脳血流量および放射性薬剤の投与からの経過時間を変数として含み脳組織の放射性薬剤濃度に対応して前記第１の時刻から前記第２の時刻までの間に得られるＳＰＥＣＴまたはＰＥＴカウント数を表した関数を、前記第１の時刻から前記第２の時刻まで積分した値が、前記カウント数を算出するステップにて算出されたカウント数の総和に等しくなるように、前記関数の変数である脳血流量の値を、前記単位領域ごとに算出するステップと、
コンピュータが、前記各単位領域の脳血流量に基づいて脳血流を示すマップを生成するステップと、
を備える脳血流量定量方法。
【請求項８】
放射性薬剤を投与された被験者の頭部核医学画像に基づいて、脳血流量を定量するためのプログラムであって、コンピュータに、
放射性薬剤を投与された被験者の頭部核医学画像を取得するステップと、
第１の時刻から第２の時刻の間に連続的に撮像された前記頭部核医学画像のＳＰＥＣＴまたはＰＥＴのカウント数の総和を、前記頭部核医学画像を構成する単位領域ごとに算出するステップと、
脳血流量および放射性薬剤の投与からの経過時間を変数として含み脳組織の放射性薬剤濃度に対応して前記第１の時刻から前記第２の時刻までの間に得られるＳＰＥＣＴまたはＰＥＴカウント数を表した関数を、前記第１の時刻から前記第２の時刻まで積分した値が、前記カウント数を算出するステップにて算出されたカウント数の総和に等しくなるように、前記関数の変数である脳血流量の値を、前記単位領域ごとに算出するステップと、
前記各単位領域の脳血流量に基づいて脳血流を示すマップを生成するステップと、
を実行させるプログラム。
【国際調査報告】
2009101759.tif 000015
2009101759.tif 000016
2009101759.tif 000017
2009101759.tif 000018